(57)【要約】【課題】組立て性および分解性に優れ、かつ組立て環境を汚染したりデータの読み書きに悪影響を与えたりする虞れがない小型ディスクカートリッジの組立て構造を提供する。【解決手段】金属素材からなる上シェル３と下シェル４とを、容易に取外し可能な例えば樹脂からなる係止部材１２で強固に係止してハウジングを構成する。【選択図】　　　　　図１
2004071042.tif 000002
【特許請求の範囲】
【請求項１】
金属素材からなる上下シェルによって構成されたハウジング内に直径２インチ以下のディスク型記録媒体を回転自在に収容し、前記ハウジングが、ディスクドライブの記録再生ヘッドを前記記録媒体の表面にアクセスさせるための開口と、該開口を開閉するシャッタとを備えたディスクカートリッジにおいて、
前記上シェルと前記下シェルとが、容易に取外し可能な係止部材により互いに係止された態様で前記ハウジングを構成していることを特徴とするディスクカートリッジ。
【請求項２】
前記上下シェルの少なくとも一方に、途中に段部を有する孔を備えたボスが形成され、前記係止部材が、前記ボスの孔への押し込みにより該孔の前記段部にスナップ係合する爪を外面にそれぞれ形成した複数の弾性片を備えたものからなることを特徴とする請求項１記載のディスクカートリッジ。
【請求項３】
前記係止部材が、ステープルからなることを特徴とする請求項１記載のディスクカートリッジ。
【請求項４】
前記係止部材が、熱でかしめられる部材からなることを特徴とする請求項１記載のディスクカートリッジ。
【請求項５】
前記熱でかしめられる部材が、前記上下シェルのいずれか一方にアウトサート成形により設けられた熱可塑性樹脂からなる係止用ボスであることを特徴とする請求項４記載のディスクカートリッジ。
【発明の詳細な説明】
【０００１】
【発明の属する技術分野】
本発明は、金属素材からなる上下シェルによって構成されたハウジング内　に外径２インチ以下のディスク型記録媒体を回転自在に収容してなる小型ディスクカートリッジに関し、特に上下シェルの組立て構造に関するものである。
【０００２】
【従来の技術】
従来より、デジタルカメラ等のモバイル機器においては、記録媒体として例えば図１０に概略的に示すような「ｃｌｉｋ！（登録商標）」と呼ばれる超小型の磁気ディスクカートリッジが使用されている。この磁気ディスクカートリッジ１は、幅５０ｍｍ、奥行き５５ｍｍ、厚さ１．９５ｍｍという寸法を有し、樹脂製のフレーム２と、金属素材（厚さ０．２ｍｍのステンレス鋼板）からなる上下シェル３，４とによって構成されたハウジング内に、４０ＭＢの記憶容量を有する直径１．８インチ（４５．７ｍｍ）の磁気ディスクを回転自在に収容するとともに、上記ハウジングは、このカートリッジが装填されるディスクドライブが備えている磁気ヘッドを磁気ディスクの表面にアクセスさせるための開口６と、この開口６を開閉するロータリーシャッタ７とを備えている。上下シェル３，４は、互いに縁部をつき合わせて１０箇所以上の部位Ｐでレーザー溶接されて組み立てられている。
【０００３】
【発明が解決しようとする課題】
しかしながら、上述のような溶接による金属製上下シェル３，４の組立て構造は、下記の３点で問題があった。
【０００４】
（１）　組立て作業上の問題点：
レーザー溶接機のような高価な特殊機械を必要とするとともに、上下シェル３，４をずれのないように精密に位置決めする必要がある。
【０００５】
（２）　塵埃発生の問題点：
溶接時にべーパーやスパッタ屑が発生し、この微細な屑が記録媒体上に付着して、データの読み書きに悪影響を及ぼす。また、組立てスペースが汚染される（組立てスペースはクラス１００〜１０００のクリーン度が必要）。
【０００６】
（３）　分解性上の問題点：
リサイクルまたは分別廃棄のための分解時に、互いに溶接された上下シェル３，４を分解するのは非常に手間がかかり、かつ分解により上下シェル３，４ともに破壊されてしまうので、上下シェル３，４の再利用が不可能である。
【０００７】
そこで本発明は、上述した問題点を全て解決した上下シェルの組立て構造を提供することを目的とするものである。
【０００８】
【課題を解決するための手段】
本発明は、金属素材からなる上下シェルによって構成されたハウジング内に直径２インチ以下のディスク型記録媒体を回転自在に収容し、上記ハウジングが、ディスクドライブの記録再生ヘッドを記録媒体の表面にアクセスさせるための開口と、この開口を開閉するシャッタとを備えたディスクカートリッジにおいて、
上シェルと下シェルとが、容易に取外し可能な係止部材により互いに係止された態様でハウジングを構成していることを特徴とするものである。
【０００９】
本発明の一つの態様によれば、上下シェルの少なくとも一方に、途中に段部を有する孔を備えたボスが形成され、上記係止部材が、上記ボスの孔への押し込みによりこの孔の段部にスナップ係合する爪を外面にそれぞれ形成した複数の弾性片を備えたものからなる。
【００１０】
その場合、この係止部材は、上下シェルのいずれか一方と一体に固定されたものでも、あるいは、別体のものでもよい。
【００１１】
また、本発明の他の態様によれば、上記係止部材が、ステープル（ホッチキス針）からなる。ステープルの素材は、金属の他に樹脂が考えられる。
【００１２】
さらに、本発明の他の態様によれば、上記係止部材が、熱でかしめられる部材からなる。この熱でかしめられる部材は、上下シェルのいずれか一方にアウトサート成形により設けられた熱可塑性樹脂からなる係止用ボスで形成することができる。この係止用ボスは、他方のシェルに形成された孔に挿通された後、熱でかしめられる。あるいは別体の熱かしめ部材を用いてもよい。
【００１３】
【発明の効果】
本発明によれば、上シェルと下シェルとが、容易に取外し可能な係止部材により互いに係止された態様でハウジングを構成していることにより、レーザー溶接機のような高価な特殊機械を必要とせずにカートリッジを容易かつ精度良く組み立てることができ、また、組立て環境を汚染しかつデータの読み書きに悪影響を与える虞れがあるべーパーやスパッタ屑が組み立て時に発生することもなく、さらに、分別廃棄またはリサイクル時の分解が容易で、上下シェルの再利用も可能である等の数々の利点がある。
【００１４】
【発明の実施の形態】
以下、本発明の実施の形態について、図面を参照して詳細に説明する。
【００１５】
図１は、本発明によるディスクカートリッジの第１の実施の形態を図１０に対応させて示す斜視図、図２はその要部を示す断面図、図３はその係止部材の斜視図である。
【００１６】
図１に示す磁気ディスクカートリッジ１も、樹脂製のフレーム２と、金属素材からなる上下シェル３，４とによって構成されたハウジング内に、直径１．８インチ（４５．７ｍｍ）の磁気ディスクを回転自在に収容するとともに、上記ハウジングは、このカートリッジが装填されるディスクドライブが備えている磁気ヘッドを磁気ディスクの表面にアクセスさせるための開口６と、この開口６を開閉するロータリーシャッタ７とを備えている。上下シェル３，４は、図２および図３に示すような構成を有する７個の係止部材１２によって結合されている。
【００１７】
上シェル３には、途中に段部１１ｂを有する孔１１ａを備えたボス１１が垂設され、下シェル４の上面には、図２に示すような係止部材１２が例えば金属／ＰＢＴ樹脂のインサート成形により、上シェル３の孔１１ａと同心的に突設されている。この係止部材１２は、爪１３ａを外面にそれぞれ形成した例えば４個の弾性片１３を備え、係止部材１２を下方から上シェル３のボス１１の孔１１ａへ押し込むだけで、爪１３ａが孔１１ａの段部１１ｂにスナップ係合して、上シェル３と下シェル４とが強固に結合されるように構成されている。
【００１８】
なお、図示は省略するが、フレーム２には、上記ボス１１を逃げるための貫通孔が設けられている。また、上述のような上シェル３または下シェル４と一体の係止部材１２を用いる代りに、図４に示すような、上下シェル３，４とは別体の係止部材１２´を用いてもよい。この係止部材１２´は胴部よりも大径のヘッド部１５を備え、これに対応して、下シェル４にも、段部１４ｂを有する孔１４ａを備えたボス１４がボス１１と同心的に設けられている。この場合は、係止部材１２´を下シェル４の底面側から孔１４ａへ押し込むことにより、ヘッド部１５が段部１４ｂに当接し、かつ爪１３ａが上シェル３の孔１１ａの段部１１ｂにスナップ係合して、上シェル３と下シェル４とが強固に結合される。
【００１９】
次の図５は、本発明によるディスクカートリッジの第２の実施の形態を図１に対応させて示す斜視図である。本実施の形態は、磁気ディスクカートリッジ１の上下シェル３，４をステープル（ホッチキス針）Ｓを用いて強固に係止したもので、図６にその要部の断面図を示す。
【００２０】
図７および図８は、本発明によるディスクカートリッジの第３の実施の形態を示す分解斜視図および要部の断面図である。
【００２１】
図７に示すように、熱可塑性樹脂からなる係止部材３０は係止用ボス３１を備えており、この係止用ボス３１は、上下シェル３，４の孔３ａ，４ａに挿通された後、図８に符号３２で示すように、熱でかしめられて、上下シェル３，４を強固に係止する。
【００２２】
あるいは、別体の係止部材３０を用いる代わりに、図９（ａ），（ｂ）に本発明の第４の実施の形態を示すように、熱可塑性樹脂からなる係止用ボス２０をアウトサート成形により下シェル４に設けてもよい。この係止用ボス２０は、上シェル３に形成された孔３ａに挿通された後、図９（ｂ）に符号２１で示すように、熱でかしめられて、上下シェル３，４を強固に係止する。
【００２３】
以上説明した本発明の実施の形態は、いずれも組立て性および分解性に優れ、かつ組立て環境を汚染したりデータの読み書きに悪影響を与えたりする虞れがないこと明らかである。
【図面の簡単な説明】
【図１】本発明によるディスクカートリッジの第１の実施の形態を示す斜視図
【図２】図１のディスクカートリッジの要部を示す断面図
【図３】図２の係止部材の斜視図
【図４】図３の係止部材の変形を示す図２に対応する断面図
【図５】本発明によるディスクカートリッジの第２の実施の形態を示す斜視図
【図６】図４のディスクカートリッジの要部を示す断面図
【図７】本発明によるディスクカートリッジの第３の実施の形態を示す分解斜視図
【図８】図７のディスクカートリッジの要部を示す断面図
【図９】図９（ａ），（ｂ）は、本発明によるディスクカートリッジの第４の実施の形態の要部を示す断面図
【図１０】従来のディスクカートリッジの斜視図
【符号の説明】
１　　ディスクカートリッジ
２　　フレーム
３　　上シェル
４　　下シェル
１１，１４　　ボス
１２，１２´，３０　　係止部材
１３　　弾性片
１３ａ　　爪
２０，３１　　係止用ボス
【図１】
2004071042.tif 000003
【図２】
2004071042.tif 000004
【図３】
2004071042.tif 000005
【図４】
2004071042.tif 000006
【図５】
2004071042.tif 000007
【図６】
2004071042.tif 000008
【図７】
2004071042.tif 000009
【図８】
2004071042.tif 000010
【図９】
2004071042.tif 000011
【図１０】
2004071042.tif 000012